(57)【要約】【課題】光学特性測定に当たり、対象物体とその測定データとを間違いのないように関連付けることができ、しかも測定の対象物体を画像によって指示することを可能とする。【解決手段】光学特性測定装置４によって対象物体Ｑの光学特性を測定するための支援装置７であって、測定された測定データＤＳを入力するための測定データ入力手段２１と、対象物体の画像ＦＤを入力するための画像入力手段２２と、測定データおよび当該測定データに対応する対象物体の画像を記録するための測定テーブルＴＢと、入力された画像に対応する対象物体について光学特性を測定するたびごとに、測定データ入力手段２１によって入力された測定データＤＳを当該画像ＦＤに関連付けて測定テーブルＴＢに記録する測定データ管理手段２４とを有する。【選択図】図２
2006292539.tif 000002
【特許請求の範囲】
【請求項１】
光学特性測定装置によって対象物体の光学特性を測定するための支援装置であって、
前記光学特性測定装置によって測定された測定データを入力するための測定データ入力手段と、
対象物体の画像を入力するための画像入力手段と、
前記測定データおよび当該測定データに対応する対象物体の画像を記録するための測定テーブルと、
入力された画像に対応する対象物体について光学特性を測定するたびごとに、前記測定データ入力手段によって入力された測定データを当該画像に関連付けて前記測定テーブルに記録する測定データ管理手段と、
を有することを特徴とする光学特性測定のための支援装置。
【請求項２】
光学特性測定装置によって対象物体の光学特性を測定するための支援装置であって、
前記光学特性測定装置によって測定された測定データを入力するための測定データ入力手段と、
対象物体の画像を入力するための画像入力手段と、
前記測定データおよび当該測定データに対応する対象物体の画像を記録するための測定テーブルと、
前記測定テーブルの中から１つの対象物体に対応する画像を選択する画像選択手段と、
選択された画像を表示面に表示させる選択画像表示手段と、
通常モードまたは画像指示モードを設定するモード設定手段と、
対象物体について光学特性を測定するたびごとに、前記測定データ入力手段によって入力された測定データを当該対象物体の画像に関連付けて前記測定テーブルに記録する測定データ管理手段と、を有し、
前記通常モードが設定されたときには、前記測定データ管理手段は、入力された画像に対応する対象物体についての測定データを前記測定テーブルに記録し、前記画像指示モードが設定されたときには、前記測定データ管理手段は、前記画像選択手段により選択された画像に対応する対象物体についての測定データを前記測定テーブルに記録する、ように構成されている、
ことを特徴とする光学特性測定のための支援装置。
【請求項３】
光学特性測定装置によって対象物体の光学特性を測定するための支援装置であって、
前記光学特性測定装置によって測定された測定データを入力するための測定データ入力手段と、
対象物体の画像を入力するための画像入力手段と、
前記測定データおよび当該測定データに対応する対象物体の画像を記録するための測定テーブルと、
対象物体の画像を予め入力して登録しておくための画像登録手段と、
登録された画像の中からある対象物体に対応する画像を選択する画像選択手段と、
選択された画像を表示面に表示させる選択画像表示手段と、
通常モードまたは画像指示モードを設定するモード設定手段と、
対象物体について光学特性を測定するたびごとに、前記測定データ入力手段によって入力された測定データを当該対象物体の画像に関連付けて前記測定テーブルに記録する測定データ管理手段と、を有し、
前記通常モードが設定されたときには、前記測定データ管理手段は、入力された画像に対応する対象物体についての測定データを前記測定テーブルに記録し、前記画像指示モードが設定されたときには、前記測定データ管理手段は、前記画像選択手段により選択された画像に対応する対象物体についての測定データを前記測定テーブルに記録する、ように構成されている、
ことを特徴とする光学特性測定のための支援装置。
【請求項４】
対象物体の画像の入力を促す画像入力画面を表示面に表示させる入力画面表示手段を有し、
前記通常モードが設定されたときには、前記測定データ入力手段による測定データの入力が行われる前に、前記入力画面表示手段によって対象物体の画像の入力を促す画像入力画面を表示面に表示させる、
請求項２または３記載の光学特性測定のための支援装置。
【請求項５】
対象物体の測定部位を指定するための部位指定手段と、
指定された測定部位に対して測定部位番号を付与する手段と、
測定回数を指定するための回数指定手段と、
指定された測定回数のそれぞれの回の測定データに対して測定データ番号を付与する手段と、を有し、
前記測定データ管理手段は、前記測定データを、前記測定部位番号および前記測定データ番号と関連付けて前記測定テーブルに記録する、
請求項１ないし４のいずれかに記載の光学特性測定のための支援装置。
【請求項６】
対象物体に付属された記録媒体から当該対象物体に付与された物体コードを読み取る物体コード入力手段を有し、
前記測定データ管理手段は、前記測定データを、前記物体コードと関連付けて前記測定テーブルに記録する、
請求項１ないし５のいずれかに記載の光学特性測定のための支援装置。
【請求項７】
光学特性測定装置によって対象物体の光学特性を測定するための支援装置に用いられるコンピュータのためのプログラムであって、
前記光学特性測定装置によって測定された測定データを入力するための処理と、
対象物体の画像を入力するための処理と、
前記測定データおよび当該測定データに対応する対象物体の画像を記録するための測定テーブルを生成する処理と、
対象物体の画像を予め入力して登録しておくための処理と、
登録された画像の中から１つの対象物体に対応する画像を選択する処理と、
選択された画像を表示面に表示させる処理と、
通常モードまたは画像指示モードを設定する処理と、
対象物体について光学特性を測定するたびごとに、前記通常モードが設定されているときに、入力された画像に対応する対象物体についての測定データを当該対象物体の画像に関連付けて前記測定テーブルに記録し、前記画像指示モードが設定されているときに、選択された画像に対応する対象物体についての測定データを当該対象物体の画像に関連付けて前記測定テーブルに記録する処理と、
を前記コンピュータによって実行させるためのコンピュータプログラム。
【発明の詳細な説明】
【技術分野】
【０００１】
本発明は、測色計、光沢計、反射率測定器、透過率測定器、その他の光学特性測定装置による光学特性測定のための支援装置に関する。
【背景技術】
【０００２】
近年において、塗装、成形、印刷、繊維などの分野において、製品の色彩管理についての重要性が認識されてきている。そのため、工場などにおいて、各種製品や部品などの対象物体に対し、測色計を用いて色彩を測色しまたは光沢計を用いて光沢を測定するなど、光学特性を測定することがしばしば行われている。
【０００３】
従来より、光学特性測定装置で測定した測定データを管理するために、対象物体の画像が用いられている。つまり、測定値と対象物体の画像データとを別々にコンピュータ内に取り込み、作業者がそれら両者を関連付ける。また、特許文献１によると、放射温度計にカメラを取り付けておき、測定と同時にカメラで対象物体を撮影する。そして、カメラで撮影した対象物体の画像に測定値を焼き付けてプリントしておく。これによって、画像と測定値とが関連付けられる。
【０００４】
また、特許文献２によると、伝送された画像情報を受信者側で再生する場合に、画像情報の作成者が意図したとおりの色が再現できるように、ディスプレイ上に表示された画像の色を測色して得られた色彩値データと、画像データ内における位置データとが関連付けられる。
【特許文献１】実開平６−７８８３０
【特許文献２】特開平２００２−２１８２６１
【発明の開示】
【発明が解決しようとする課題】
【０００５】
しかし、測定値と対象物体の画像データとを作業者が関連付ける従来の方法では、その測定値が画像データが示す対象物体についてのものであることが必ずしも保証されているわけではなく、作業者の単純ミスなどによって何ら関連のない測定値と画像データとが関連付けられてしまう危険性がある。
【０００６】
また、特許文献１による場合には、測定値が画像データに焼き付けられているため、そのままでは測定値を利用することができない。利用する場合には、画像データから測定値を読み取り、測定値をあらためて手入力する必要性が生じ、その際に入力ミスが生じる可能性がある。
【０００７】
また、特許文献２による場合には、対象物体の画像データと対象物体そのものの測定値とが関連付けられてはいない。つまり、対象物体そのものの測定値ではなく、ディスプレイなどに映し出された対象物体の画像データの測定値が画像データと関連付けられているだけである。
【０００８】
また、従来においては、測定の対象物体や測定部位などが言語によって指示されているが、言語による指示では作業者が実際に測定を行うときに対象物体や測定部位についての間違いが生じる可能性がある。
【０００９】
本発明は、上述の問題に鑑みてなされたもので、光学特性測定に当たり、対象物体とその測定データ（測定値）とを間違いのないように関連付けることができ、しかも測定の対象物体を画像によって指示することの可能な支援装置およびそれに用いるプログラムを提供することを目的とする。
【課題を解決するための手段】
【００１０】
本発明に係る装置は、光学特性測定装置によって対象物体の光学特性を測定するための支援装置であって、前記光学特性測定装置によって測定された測定データを入力するための測定データ入力手段と、対象物体の画像を入力するための画像入力手段と、
前記測定データおよび当該測定データに対応する対象物体の画像を記録するための測定テーブルと、入力された画像に対応する対象物体について光学特性を測定するたびごとに、前記測定データ入力手段によって入力された測定データを当該画像に関連付けて前記測定テーブルに記録する測定データ管理手段とを有する。
【００１１】
また、別の形態では、前記光学特性測定装置によって測定された測定データを入力するための測定データ入力手段と、対象物体の画像を入力するための画像入力手段と、前記測定データおよび当該測定データに対応する対象物体の画像を記録するための測定テーブルと、前記測定テーブルの中から１つの対象物体に対応する画像を選択する画像選択手段と、選択された画像を表示面に表示させる選択画像表示手段と、通常モードまたは画像指示モードを設定するモード設定手段と、対象物体について光学特性を測定するたびごとに、前記測定データ入力手段によって入力された測定データを当該対象物体の画像に関連付けて前記測定テーブルに記録する測定データ管理手段と、を有し、前記通常モードが設定されたときには、前記測定データ管理手段は、入力された画像に対応する対象物体についての測定データを前記測定テーブルに記録し、前記画像指示モードが設定されたときには、前記測定データ管理手段は、前記画像選択手段により選択された画像に対応する対象物体についての測定データを前記測定テーブルに記録する、ように構成される。
【００１２】
さらに別の形態では、対象物体の画像を予め入力して登録しておくための画像登録手段と、登録された画像の中からある対象物体に対応する画像を選択する画像選択手段と、選択された画像を表示面に表示させる選択画像表示手段とが備えられる。
【００１３】
好ましくは、対象物体の画像の入力を促す画像入力画面を表示面に表示させる入力画面表示手段を有し、前記通常モードが設定されたときには、前記測定データ入力手段による測定データの入力が行われる前に、前記入力画面表示手段によって対象物体の画像の入力を促す画像入力画面を表示面に表示させる。
【００１４】
また、対象物体の測定部位を指定するための部位指定手段と、指定された測定部位に対して測定部位番号を付与する手段と、測定回数を指定するための回数指定手段と、指定された測定回数のそれぞれの回の測定データに対して測定データ番号を付与する手段とを有し、前記測定データ管理手段は、前記測定データを、前記測定部位番号および前記測定データ番号と関連付けて前記測定テーブルに記録する。
【００１５】
また、対象物体に付属された記録媒体から当該対象物体に付与された物体コードを読み取る物体コード入力手段を有し、前記測定データ管理手段は、前記測定データを、前記物体コードと関連付けて前記測定テーブルに記録する。
【００１６】
本発明に係るプログラムは、光学特性測定装置によって対象物体の光学特性を測定するための支援装置に用いられるコンピュータのためのプログラムであって、前記光学特性測定装置によって測定された測定データを入力するための処理と、対象物体の画像を入力するための処理と、前記測定データおよび当該測定データに対応する対象物体の画像を記録するための測定テーブルを生成する処理と、対象物体の画像を予め入力して登録しておくための処理と、登録された画像の中から１つの対象物体に対応する画像を選択する処理と、選択された画像を表示面に表示させる処理と、通常モードまたは画像指示モードを設定する処理と、対象物体について光学特性を測定するたびごとに、前記通常モードが設定されているときに、入力された画像に対応する対象物体についての測定データを当該対象物体の画像に関連付けて前記測定テーブルに記録し、前記画像指示モードが設定されているときに、選択された画像に対応する対象物体についての測定データを当該対象物体の画像に関連付けて前記測定テーブルに記録する処理とを前記コンピュータによって実行させる。
【００１７】
なお、本発明において、画像を記録するとは、画像それ自体を記録する場合、または画像を特定するための画像コード（識別コード）を記録する場合の両方を含む。
【発明の効果】
【００１８】
本発明によると、光学特性測定に当たり、対象物体とその測定データとを間違いのないように関連付けることができ、しかも測定の対象物体を画像によって指示することが可能となる。
【発明を実施するための最良の形態】
【００１９】
図１は本発明の実施形態に係る光学特性測定装置１の構成を示すブロック図、図２は光学特性測定支援装置７の機能的な構成を示すブロック図、図３は測定テーブルＴＢの例を示す図である。
【００２０】
図１において、光学特性測定装置１は、測定装置４、デジタルカメラ５、リーダー６、および光学特性測定支援装置７などからなる。
【００２１】
対象物体Ｑは、光学特性を測定するものであれば任意のものが適用可能である。本実施形態では、対象物体Ｑの１つが自動車の部品である後部ドアである例が示されている。光学特性測定装置１は、対象物体Ｑの種々の部位の光学特性を測定するとともに、得られた測定データを光学特性測定支援装置７によって記録し管理する。
【００２２】
測定装置４は、測色計、光沢計、反射率測定器、透過率測定器など、対象物体Ｑの光学特性を測定する装置である。測定装置４は、ケーブルを介してまたは無線によって光学特性測定支援装置７に接続され、光学特性測定支援装置７に対して測定データＤＳを出力する。また、光学特性測定支援装置７から測定開始指令などの指令データを入力し、光学特性測定支援装置７からの指令によって動作の制御を行うことも可能である。その他、測定装置４は光学特性測定支援装置７との間で種々のデータおよび信号の授受を行う。
【００２３】
デジタルカメラ５は、対象物体Ｑを撮影してその画像ＦＤを取得するものである。デジタルカメラ５として、静止画を撮影するものまたは動画を撮影するもののいずれも適用することが可能である。デジタルカメラ５は、測定装置４と別体で設けてもよく、また、測定装置４と一体に設けてもよい。特に、輝度計のようにユーザ（測定者）が手で持ちかつ対象物体Ｑを覗くような形態の測定装置４である場合には、デジタルカメラ５を測定装置４と一体的に組み合わせることによるメリットが大きい。
【００２４】
なお、デジタルカメラ５に代えて、対象物体Ｑの画像ＦＤを取り込むもの、またはそのためのインタフェースを設けてもよい。
【００２５】
リーダー６は、対象物体Ｑに埋め込まれた物体情報を読み取って物体コードＣＢを出力するためのものである。対象物体Ｑに電子メモリ例えばＩＣタグＴＧが埋め込まれているときには、ＩＣタグＴＧとの間で交信を行い、ＩＣタグＴＧに記録された物体コードＣＢを読み取って出力する。対象物体Ｑにバーコードが付されているときには、バーコードを読み取って物体コードＣＢを出力する。リーダー６は、測定装置４と別体で設けてもよく、また、測定装置４と一体に設けてもよい。
【００２６】
光学特性測定支援装置７は、測定装置４による測定を支援し、得られた測定データＤＳを対象物体Ｑの画像とともに測定テーブルに記録して管理する。光学特性測定支援装置７は、処理装置１０、表示装置１１、キーボードＫＢおよびマウスＭＳなどの入力装置１２などを有している。
【００２７】
処理装置１０には、ＣＰＵ、ＲＯＭやＲＡＭなどのメモリ、ハードディスク装置、各種ドライブ装置、通信インタフェース、種々の周辺回路、制御回路などが実装されている。ハードディスク装置には、種々のファイルやデータベースが記憶される。それらのデータベースは、ハードディスク装置とメモリとの間で転送やコピーなどが行われる。また、ハードディスク装置には、光学特性測定のための支援ソフトウエア、対象物体Ｑの光学測定や光学特性管理のためのソフトウェアなどがインストールされており、適宜、メモリに読み込まれ、ＣＰＵにより実行される。メモリには、また、種々のパラメータおよび演算式などが必要に応じて記憶される。また、ネットワークインタフェースによって外部のネットワークと接続され、種々のプログラムやデータの送信および受信が可能である。また、媒体ドライブが設けられており、フレキシブルディスク、ＣＤ−ＲＯＭ、光磁気ディスク、メモリチップ、またはメモリカードなどの記録媒体ＢＡへのアクセスが可能である。これらの記録媒体ＢＡに本発明に係るプログラムを格納することが可能である。したがって、本発明におけるコンピュータプログラムは、これらの記録媒体ＢＡに記録した状態で、またはネットワークを介してダウンロードさせることによって、提供可能である。
【００２８】
キーボードＫＢおよびマウスＭＳは、表示装置１１の表示面ＨＧに表示された画面においてユーザが種々の指示や指令を与えまたはデータを入力するために用いられる他、処理装置１０に種々のデータを入力しまたは指令を与えるために用いられる。表示装置１１の表示面ＨＧには、後述する種々の画面が表示される他、種々のデータ、文字、または画像が表示される。
【００２９】
図２に示すように、処理装置１０には、測定データ入力部２１、画像入力部２２、物体コード入力部２３、測定データ管理部２４、モード設定部２５、画面生成部２６、画像選択部２７、部位指定部２８、回数指定部２９、表示処理部３０、記憶部３１、および画像登録部３２などが設けられる。測定データ管理部２４には、コード生成部４１、測定テーブル記録部４２、および測定テーブル読出し部４３などが設けられる。記憶部３１には、測定テーブルＴＢおよび画像データベースＤＢなどが格納される。
【００３０】
測定データ入力部２１は、測定装置４によって測定された測定データＤＳを、測定のたびごとに入力する。測定データＤＳは、例えば、色彩値、光沢値、反射率、透過率、測定時間、測定条件などである。
【００３１】
画像入力部２２は、デジタルカメラ５その他の撮像手段または画像記憶手段から、測定の対象物体Ｑの画像ＦＤを入力する。画像ＦＤには、対象物体Ｑの測定部位の画像が含まれている。したがって、測定部位が同一面にないときには、１つの対象物体Ｑについて複数の画像ＦＤが入力されることとなる。測定部位が同一面にあるときでも、測定部位を明確に示すために複数の画像ＦＤが入力されることがある。画像ＦＤは対象物体Ｑの一部であってもよい。また、同じ部位について異なる角度から撮影した画像ＦＤであってもよい。
【００３２】
入力された画像ＦＤは、記憶部３１の画像データベースＤＢに画像コードＣＦとともに記憶される。複数の画像ＦＤが入力されたときには、それぞれの画像ＦＤに対して画像コードＣＦが付与されて識別されるとともに、それら複数の画像ＦＤが画像コードＣＦによって互いに関連付けられる。なお、画像ＦＤは、実際には画像データとして存在する。
【００３３】
物体コード入力部２３は、リーダー６が対象物体Ｑから読み取った物体コードＣＢを入力する。なお、対象物体Ｑに物体情報が付属されていない場合には、ユーザがキーボードＫＢなどを操作して物体コードＣＢを入力することも可能である。
【００３４】
測定データ管理部２４は、測定データ入力部２１から入力された画像ＦＤに対応する対象物体Ｑについて測定装置４により光学特性を測定するたびごとに、入力された測定データＤＳを、当該画像ＦＤ、測定部位番号ＣＵ、および測定データ番号ＣＤに関連付けて測定テーブルＴＢに記録する。また、測定データ管理部２４は、画像登録部３２の指示によって、入力された画像ＦＤを、画像コードＣＦとともに、測定テーブルＴＢまたは画像データベースＤＢに登録する。
【００３５】
コード生成部４１は、入力された画像ＦＤに対して画像コードＣＦを付与し、指定された測定部位に対して測定部位番号ＣＵを付与し、指定された測定回数のそれぞれの回の測定データＤＳに対して測定データ番号ＣＤを付与する。
【００３６】
測定テーブル記録部４２は、物体コードＣＢ、画像コードＣＦ、測定部位番号ＣＵ、測定データ番号ＣＤ、および測定データＤＳを、測定テーブルＴＢに記録する。また、測定テーブルＴＢが通常のものであるかまたはＴＡＳＫモード用（画像指示モード用）のものであるかを示す情報を、当該測定テーブルＴＢに記録する。また、測定テーブルＴＢに記録されたデータについて、他のデータと関連があることを示すリンク情報を記録する。その他の必要なデータを測定テーブルＴＢに記録する。
【００３７】
測定テーブル読出し部４３は、測定テーブルＴＢから必要なデータを読み出す。例えば、画像選択部２７で選択された画像ＦＤまたはそれに対応するデータなどを読み出す。
【００３８】
モード設定部２５は、通常モードまたはＴＡＳＫモード（画像指示モード）を設定する。通常モードが設定されたときには、測定データ管理部２４は、入力された画像ＦＤに対応する対象物体Ｑについての測定データＤＳを測定テーブルＴＢに記録し、ＴＡＳＫモードが設定されたときには、測定データ管理部２４は、画像選択部２７により選択された画像ＦＤに対応する対象物体Ｑについての測定データＤＳを測定テーブルＴＢに記録する。これらのモードの設定または選択は、表示面ＨＧに表示された選択画面において、ユーザがキーボードＫＢやマウスＭＳなどを操作することによって行うことが可能である。
【００３９】
画面生成部２６は、表示装置１１の表示面ＨＧに表示する種々の画面を生成する。また、予め生成された画面を記憶し、指令に応じて画面を表示処理部３０へ出力する。例えば、画面生成部２６は、対象物体Ｑの画像ＦＤの入力を促す画像入力画面ＨＧ１を生成する。画像入力画面ＨＧ１は、例えば、「対象物体の画像を入力してください」「表示された画像の中から選択して入力してください」などのメッセージを表示する。通常モードが設定されたときには、測定データＤＳの入力が行われる前に、画像入力画面ＨＧ１が表示面ＨＧに表示される。画面生成部２６のこの機能は本発明における入力画面表示手段に相当する。
【００４０】
画像選択部２７は、測定テーブルＴＢに記録された画像ＦＤの中から、または画像データベースＤＢに格納された画像ＦＤの中から、または表示面ＨＧに表示された画像ＦＤの中から、指令などに応じて必要な画像ＦＤを選択する。例えば、ユーザの指令に応じて、測定テーブルＴＢの中から１つの対象物体Ｑに対応する画像ＦＤを選択する。この場合に、ユーザは、表示面ＨＧに表示された画像ＦＤの中から選択して指令を出すことも可能であり、また、物体コードＣＢ、画像コードＣＦ、測定部位番号ＣＵ、または測定データ番号ＣＤなどを指定して指令を出すことも可能である。また、ＴＡＳＫモードの場合には、所定のＴＡＳＫモード用の測定テーブルＴＢの中から、自動的に順次に、画像ＦＤを選択する。選択された画像ＦＤは表示面ＨＧに表示される。
【００４１】
部位指定部２８は、必要に応じて対象物体Ｑの測定部位ＢＳを指定する。測定部位ＢＳの指定は、例えば、表示面ＨＧに表示された画像ＦＤをユーザが見ながら、マウスＭＳなどによって必要な箇所を指定する。
【００４２】
回数指定部２９は、必要に応じて、対象物体Ｑの同一部位に対し繰り返して測定を行う測定回数Ｎを指定する。測定回数Ｎを指定しない場合には、デフォルト値として「１」が設定される。
【００４３】
表示処理部３０は、種々の画面、画像、メッセージ、データなどを、表示装置１１の表示面ＨＧに表示するための処理を行う。
【００４４】
画像登録部３２は、対象物体Ｑの画像ＦＤを予め入力して登録しておくための処理を行う。
【００４５】
測定テーブルＴＢは、測定データＤＳと、測定データＤＳに対応する対象物体Ｑの画像ＦＤとを、互いに対応付けて記録するためのテーブルである。
【００４６】
図３に示すように、測定テーブルＴＢは、物体コードＣＢ、画像コードＣＦ、測定部位番号ＣＵ、測定データ番号ＣＤ、測定データＤＳなどの項目を有する。
【００４７】
物体コードＣＢは、対象物体Ｑを管理するための管理コードまたは識別コードである。物体コードＣＢには、例えば、当該物体の名称、種類、適用機種、色、ロット番号、製造年月日、製造場所、および製造番号などが必要に応じて含まれる。
【００４８】
画像コードＣＦは、対象物体Ｑの画像ＦＤを特定するための識別コードである。測定部位番号ＣＵは、画像コードＣＦで特定される１つの対象物体Ｑについて、測定装置４で測定されたまたは測定すべき部位ごとに付与されたコード（番号）である。測定データ番号ＣＤは、測定部位番号ＣＵで特定される１つの測定部位について、測定データＤＳごとに付与されたコード（番号）である。測定データＤＳは、測定装置４によって実際に測定されたデータ（測定値）である。なお、測定データＤＳは、１つの測定データ番号ＣＤに対して複数存在することもある。
【００４９】
なお、図２に示すブロック図は、光学特性測定支援装置７の機能的な構成の一例を示すものであり、本明細書で述べられた機能を実現するものであれば他の種々の構成を採用し得る。
【００５０】
このような光学特性測定支援装置７は、例えば、パーソナルコンピュータ、ワークステーションなどを用いて実現することが可能である。
【００５１】
次に、光学特性測定装置１による測定の方法、測定データＤＳの記録処理、および測定テーブルＴＢの作成処理について、フローチャートを参照しながら説明する。
【００５２】
図４はメインフローチャート、図５は通常モード処理を示すフローチャート、図６はＴＡＳＫモード事前準備を示すフローチャート、図７はＴＡＳＫモード処理を示すフローチャート、図８は測定処理を示すフローチャートである。
【００５３】
図４において、まず、表示装置１１の表示面ＨＧにモード選択画面が表示される（＃１１）。モード選択画面は、通常モードまたはＴＡＳＫモードのいずれを設定するかをユーザに問い合わせる画面である。
【００５４】
ＴＡＳＫモードとは、対象物体Ｑの画像ＦＤを事前に登録しておき（事前準備）、その画像ＦＤの中から選択された画像ＦＤを表示面ＨＧに表示させ、ユーザが表示された画像ＦＤを見て、その画像ＦＤと一致する対象物体Ｑに対して、測定装置４による測定を実行するモードである。事前に登録された画像ＦＤは、画像コードＣＦとともに画像データベースＤＢの適当なフォルダに格納され、また、画像コードＣＦがＴＡＳＫモード用の測定テーブルＴＢに記録される。また、事前準備において、画像ＦＤの登録のみではなく、測定部位や測定回数などを登録することも可能である。つまり、ＴＡＳＫモードは、測定テーブルＴＢの測定データＤＳを除く部分の一部を予め作成しておくモードであるといえる。ＴＡＳＫモードでは、予め作成されたＴＡＳＫモード用の測定テーブルＴＢの内容を表示面ＨＧに表示させ、ユーザには表示された内容に沿って、それを測定のための操作指示書として利用させて測定を実行させる。
【００５５】
モード選択画面が表示されると、ユーザは、マウスＭＳなどによってモードを指定する（＃１２）。通常モードを指定すると通常モード処理が行われ（＃１３）、ＴＡＳＫモードを指定するとＴＡＳＫモード事前準備が行われ（＃１４）、ＴＡＳＫモード処理が行われる（＃１５）。
【００５６】
図５において、通常モード処理では、表示面ＨＧに画像要否選択画面を表示する（＃２１）。画像ＦＤを要するか否かをユーザが選択する（＃２２）。なお、通常は画像ＦＤを要とする。デジタルカメラ５によって対象物体Ｑの画像ＦＤを撮影する（＃２３）。デジタルカメラ５による撮影に代えて、対象物体Ｑの画像ＦＤを外部または内部から取り込んでもよい。撮影された画像ＦＤは、撮影結果選択画面として表示面ＨＧに表示される（＃２４）。ユーザは、撮影結果選択画面の画像ＦＤを見て、それでよいか否かを決定し、ＯＫまたはＮＧを選択する（＃２５）。ＮＧである場合には、ステップ＃２３に戻って再度撮影を行う。ＯＫである場合には、その画像ＦＤに対して画像コードＣＦが付与される（＃２６）。
【００５７】
そして、その画像ＦＤが、測定部位指定画面として表示面ＨＧに表示される（＃２７）。ユーザは、測定部位指定画面において、測定部位指定の要否を選択する（＃２８）。要の場合には、ユーザは画面上で測定部位を指定する（＃２９）。測定部位の指定に当たっては、例えば、表示面ＨＧに表示された画像ＦＤの中で、測定部位として指定したい箇所をマウスＭＳでクリックする。指定した測定部位に対して、測定部位番号ＣＵが付与される（＃３０）。
【００５８】
表示面ＨＧに測定回数入力画面が表示される（＃３１）。ユーザは、先に指定した測定部位に対する測定回数Ｎを入力する（＃３２）。ループＳＴＡＲＴ（＃３３）からループＥＮＤ（＃３５）までの処理を、入力された測定回数Ｎだけ繰り返す。その結果、測定処理がＮ回繰り返される（＃３４）。
【００５９】
測定部位変更選択画面が表示面ＨＧに表示される（＃３６）。ユーザは、測定部位変更選択画面において、測定部位を追加するか否かを指定する（＃３７）。測定部位の変更（追加）を指定すると、ステップ＃２７に戻って測定部位指定画面が表示される。測定部位を変更（追加）しない場合には、対象物体変更選択画面が表示される（＃３８）。ユーザは、対象物体変更選択画面において、対象物体Ｑを変更するか否かを指定する（＃３９）。対象物体Ｑの変更を指定すると、ステップ＃２１に戻って画像要否選択画面が表示される。対象物体Ｑを変更しない場合には、処理を終わって元のルーチンに戻る。
【００６０】
なお、上で説明した通常モード処理において、表示面ＨＧに表示される主な画面の例を図１０に示す。図１０に示した＃２２〜＃３９の添字は、それぞれの画面が図５におけるステップ＃２２〜３９に対応していることを示す。
【００６１】
図６において、ＴＡＳＫモード事前準備では、まず、画像ＦＤを取り込む（＃４１）。ＴＡＳＫモードで用いられる画像ＦＤを登録するための画面（ＴＡＳＫ用画像登録画面）が表示される（＃４２）。表示された画像ＦＤがＴＡＳＫ用画像として画像データベースＤＢに登録される（＃４３）。他の画像ＦＤを追加する場合には（＃４４でイエス）、ステップ＃４１に戻って画像ＦＤを取り込む。このようにして多数枚（Ｍ枚）の画像ＦＤが登録される。なお、複数の対象物体Ｑを登録する場合に、それらは互いに関連する物体であってもよく、また関連のない物体であってもよい。
【００６２】
画像ＦＤを追加しない場合には（＃４４でノー）、登録された画像ＦＤの表示の順序を指定するための登録画像表示順指定画面が表示される（＃４５）。ユーザは、登録画像表示順指定画面において、表示の順番を設定する（＃４６）。表示順に応じて、画像コードＣＦが付与される（＃４７）。
【００６３】
各画像ＦＤについて、測定部位指定の要否を選択する（＃４８）。要の場合には、ループＳＴＡＲＴ（＃４９）からループＥＮＤ（＃５２）までの処理を、登録された画像ＦＤの枚数Ｍに等しい回数だけ繰り返す。その結果、そのＭ回、測定部位の指定と測定部位番号ＣＵの付与が行われる（＃５０、５１）。
【００６４】
ＴＡＳＫモード用の画像ＦＤの自動送りを行うか否かを選択するための画像自動送りオンオフ選択画面が表示される（＃５３）。ユーザは、画面上でオンまたはオフを選択する（＃５４）。画像自動送りがオンされたときは、後のＴＡＳＫモード処理においてスライドモードとなり、複数の画像ＦＤが順次自動的に表示され、これによって測定すべき対象物体Ｑが自動的に指定されることとなる。
【００６５】
これらの処理によって、ＴＡＳＫモード用の測定テーブルＴＢが作成される。ＴＡＳＫモード用の測定テーブルＴＢには、ＴＡＳＫモード用である旨が記録されており、また、測定テーブルＴＢとしては未完成である。ユーザが選択した画像自動送りのオンまたはオフについても、ＴＡＳＫモード用の測定テーブルＴＢに記録される。
【００６６】
なお、ＴＡＳＫモード事前準備では、その操作を行うユーザは、測定を行うユーザとは別であってもよい。例えば、ＴＡＳＫモードにおける測定の指示をする管理者がＴＡＳＫモード事前準備でのユーザとなってもよい。
【００６７】
図７において、ＴＡＳＫモード処理では、ＴＡＳＫモード用の測定テーブルＴＢに登録された画像ＦＤを読み込む（＃６１）。画像自動送りがオンであれば（＃６２）、ステップ＃６３に進み、オフであればステップ＃７１に進む。なお、画像自動送りのオンオフは、ユーザが画面上で変更することが可能である。例えば、画像自動送りがオンであっても、表示される画像ＦＤに対応する対象物体Ｑが流れてこない場合には、ユーザは他の対象物体Ｑの測定作業を行うために画像自動送りをオフに切り換えることが可能である。
【００６８】
ステップ＃６３において、ＴＡＳＫモード用の画像ＦＤが表示面ＨＧに表示される。表示面ＨＧに測定回数入力画面が表示される（＃６４）。ユーザは、測定回数Ｎを入力する（＃６５）。
【００６９】
つまり、本実施形態のフローチャートにおいては、ＴＡＳＫモードであっても、測定回数Ｎはユーザ（測定者）が入力するようになっている。しかし、測定回数Ｎについても予め設定しておいて、ユーザは設定された測定回数Ｎについて測定を行うようにしてもよい。
【００７０】
ループＳＴＡＲＴ（＃６６）からループＥＮＤ（＃６８）までの処理を、入力された測定回数Ｎだけ繰り返す。その結果、測定処理がＮ回繰り返される（＃６７）。ＴＡＳＫモード用の画像ＦＤが残っていれば（＃６９でノー）、次の画像ＦＤをセットし（＃７０）、ステップ＃６３以降を繰り返す。
【００７１】
ステップ＃６２で画像自動送りがオフであれば、ＴＡＳＫモード用として登録されている画像ＦＤを選択するための登録画像選択画面が表示される（＃７１）。ユーザは、画面上で画像ＦＤを選択する（＃７２）。このとき、ユーザは、当該画像ＦＤに関連したリンク画像を選択することも可能である。互いに関連する一連の画像ＦＤを選択し、これによって複数の対象物体Ｑまたは複数の測定部位について測定を行うことにより、それらの測定データＤＳの間にリンクが張られ、後でリンクの張られた測定データＤＳの間で演算を行って色差などを算出することが可能である。
【００７２】
表示面ＨＧに測定回数入力画面が表示される（＃７３）。ユーザは、測定回数Ｎを入力する（＃７４）。
【００７３】
ループＳＴＡＲＴ（＃７５）からループＥＮＤ（＃７７）までが測定回数Ｎだけ繰り返され、測定処理がＮ回繰り返される（＃７６）。さらに測定を行う場合には（＃７８でイエス）、ステップ＃７２に戻って画像ＦＤを選択する。
【００７４】
図８において、測定処理では、測定装置４による測定を、結果がＯＫとなるまで行う（＃８１、８２）。測定データＤＳがＯＫになれば、その測定データＤＳに対して測定データ番号ＣＤが付与される（＃８３）。これら測定データＤＳ、画像ＦＤ、測定部位番号ＣＵ、測定データ番号ＣＤが、互いに関連付けられて、測定テーブルＴＢに記録される（＃８４）。
【００７５】
上に述べたフローチャートの説明では、物体コードＣＢについてはふれなかったが、物体コードＣＢは、ユーザがキーボードＫＢから入力し、またはリーダー６によって対象物体Ｑから読み取り、測定テーブルＴＢに記録すればよい。なお、物体コードＣＢは必ずしも記録しなければならないものではない。例えば、対象物体Ｑが手作りの品物である場合には物体コードＣＢを付与しなくても画像ＦＤのみで対象物体Ｑを特定できることがある。
【００７６】
次に、対象物体Ｑに埋め込まれたＩＣタグＴＧの物体コードＣＢを読み取って測定テーブルＴＢに記録するようにした場合のフローチャートについて説明する。
【００７７】
図９は物体コードＣＢを読み取る場合の通常モード処理を示すフローチャートである。
【００７８】
図９において、表示面ＨＧに画像要否選択画面を表示する（＃１０１）。画像ＦＤを要するか否かをユーザが選択する（＃１０２）。デジタルカメラ５によって対象物体Ｑの画像ＦＤを撮影する（＃１０３）。リーダー６によって物体コードＣＢを読み取る（＃１０４）。撮影された画像ＦＤが表示される（＃１０５）。ユーザは画像ＦＤを見てＯＫまたはＮＧを選択する（＃１０６）。ＯＫである場合に、その画像ＦＤに対して画像コードＣＦが付与される（＃１０７）。また、このとき、物体コードＣＢを画像ＦＤに関連付けて記録してもよい。いずれにしても、物体コードＣＢは、測定データＤＳと関連付けられて測定テーブルＴＢに記録される。
【００７９】
ステップ＃１０８以降については、図５におけるステップ＃２７以降と同じであるので、説明を省略する。
【００８０】
また、図８に示すステップ＃８４において、物体コードＣＢ、画像ＦＤ、測定部位番号ＣＵ、測定データ番号ＣＤ、および測定データＤＳが、互いに関連付けられて測定テーブルＴＢに記録される。
【００８１】
上に述べた実施形態の光学特性測定装置１によると、測定を行う対象物体Ｑの画像ＦＤを入力しまたは選択した後で、その対象物体Ｑに対して測定を行い、測定装置４から入力された測定データＤＳを画像ＦＤと自動的に関連付けて測定テーブルＴＢに記録するので、対象物体Ｑとその測定データＤＳとを間違いのないように関連付けることができる。
【００８２】
また、対象物体Ｑに埋め込まれた物体コードＣＢをリーダー６により読み取り、測定データＤＳと自動的に関連付けて測定テーブルＴＢに記録するので、これらの間についても間違いなく関連付けることができる。さらに、対象物体Ｑの測定部位および同一の測定部位についての複数回にわたる測定データＤＳについても、画像ＦＤおよび測定データＤＳと自動的に関連付けて測定テーブルＴＢに記録するので、間違いなく関連付けることができる。
【００８３】
上に述べた実施形態の測定テーブルＴＢによると、対象物体Ｑについての物体コードＣＢ、画像ＦＤ、測定部位、測定データＤＳを確実に対応付けることができる。また、後でデータを検索したりソートすることが容易である。
【００８４】
また、複数の画像ＦＤや測定部位または測定データＤＳの間でリンクを張ることにより、複数の対象物体Ｑまたは測定部位の間における色差などを自動的に演算することが可能である。そして、リンクが張られた対象物体Ｑや測定部位を画像ＦＤで表示することにより、演算された色差が何処と何処との色差であるのかを視覚的に認識することができる。例えば、後部ドアの上部と下部とが測定部位として指定された場合に、それらの画像ＦＤを表示することで、色のむらが容易に認識できる。また、対象物体Ｑとして後部ドアとバンパーとが指定された場合に、それらの色差が容易に認識できる。
【００８５】
また、ＴＡＳＫモードにおいては、予め作成されたＴＡＳＫモード用の測定テーブルＴＢの内容を表示面ＨＧに表示させ、測定の対象物体Ｑを画像ＦＤによって指示することができる。ユーザは表示された内容に沿ってシーケンス的に測定を実行するので、対象物体Ｑや測定部位を間違えることなく、測定作業を容易に正確に行うことができる。
【００８６】
なお、対象物体Ｑの画像ＦＤとともに、対象物体Ｑに関する情報、測定条件、測定の際の注意事項、その他のコメントを記録しておき、ＴＡＳＫモードにおいてそれらをユーザに表示することにより、ユーザに対して画像によって間違いのない指示を行うことができる。また、それらの画像を表示装置１１の表示面ＨＧに表示したが、測定装置４に表示部を設けておき、そこに表示するようにしてもよい。
【００８７】
上に実施形態のフローチャートでは、物体コードＣＢ、画像コードＣＦ、測定部位番号ＣＵ、測定データ番号ＣＤなどが、測定を行った後に測定テーブルＴＢに記録されるようになっているが、これに代えて、それらが付与された時点で測定テーブルＴＢに記録してもよい。また、測定テーブルＴＢに予めそれらのコードまたは番号などを記録しておき、画像ＦＤや測定部位が指定されまたは測定データＤＳが入力されたときに、それらを測定テーブルＴＢの記録位置に関連付けるようにしてもよい。その他、コードや番号と測定データＤＳとを関連付けて記録する手法として、種々の手法を採用することができる。
【００８８】
上の実施形態では、測定テーブルＴＢには画像コードＣＦを記録するようにしたが、これに代えて、画像ＦＤそれ自体を測定テーブルＴＢに記録してもよい。測定テーブルＴＢのフォーマットなどは種々変更することが可能である。また、ＴＡＳＫモード事前準備において、入力した画像ＦＤの画像コードＣＦを、ＴＡＳＫモード用ではあるが通常モードでも使用可能な測定テーブルＴＢに記録したが、これらを全く別のものとしてもよい。つまり、ＴＡＳＫモード事前準備においては、入力した画像ＦＤ、画像コードＣＦ、測定部位などを専用の測定テーブルに記録しておき、ＴＡＳＫモードでは、その専用の測定テーブルから読み出して測定テーブルＴＢに記録していくようにしてもよい。
【００８９】
上の実施形態では、光学特性測定支援装置７を測定装置４とは別体で構成したが、光学特性測定支援装置７の機能を測定装置４に組み込んで一体化してもよい。また、上に述べたように、測定装置４にデジタルカメラ５などを組み込んでもよい。
【００９０】
上に述べた光学特性測定装置１、測定装置４、デジタルカメラ５、リーダー６、光学特性測定支援装置７の全体または各部の構成、構造、形状、処理内容、処理方法、処理のタイミングなどは、本発明の趣旨に沿って適宜変更することができる。
【産業上の利用可能性】
【００９１】
本発明は、測色計、光沢計、反射率測定器、透過率測定器、その他の光学特性測定装置による光学特性測定のための支援装置として利用される。
【図面の簡単な説明】
【００９２】
【図１】本発明の実施形態に係る光学特性測定装置の構成を示すブロック図である。
【図２】光学特性測定支援装置の機能的な構成を示すブロック図である。
【図３】測定テーブルの例を示す図である。
【図４】メインフローチャートである。
【図５】通常モード処理を示すフローチャートである。
【図６】ＴＡＳＫモード事前準備を示すフローチャートである。
【図７】ＴＡＳＫモード処理を示すフローチャートである。
【図８】測定処理を示すフローチャートである。
【図９】物体コードを読み取る場合の通常モード処理を示すフローチャートである。
【図１０】通常モード処理において表示面に表示される画面の例を示す図である。
【符号の説明】
【００９３】
１  光学特性測定装置
４  測定装置
５  デジタルカメラ
６  リーダー
７  光学特性測定支援装置（支援装置）
２１  測定データ入力部（測定データ入力手段）
２２  画像入力部（画像入力手段）
２３  物体コード入力部（物体コード入力手段）
２４  測定データ管理部（測定データ管理手段）
２５  モード設定部（モード設定手段）
２６  画面生成部（入力画面表示手段）
２７  画像選択部（画像選択手段）
２８  部位指定部（部位指定手段）
２９  回数指定部（回数指定手段）
３０  表示処理部（選択画像表示手段）
３１  記憶部
３２  画像登録部（画像登録手段）
Ｑ  対象物体
ＤＳ  測定データ
ＴＢ  測定テーブル
ＦＤ  画像
ＣＢ  物体コード
ＣＦ  画像コード
ＣＵ  測定部位番号
ＣＤ  測定データ番号
【図１】
2006292539.tif 000003
【図２】
2006292539.tif 000004
【図３】
2006292539.tif 000005
【図４】
2006292539.tif 000006
【図５】
2006292539.tif 000007
【図６】
2006292539.tif 000008
【図７】
2006292539.tif 000009
【図８】
2006292539.tif 000010
【図９】
2006292539.tif 000011
【図１０】
2006292539.tif 000012